(57)【要約】【課題】ユーザが端末本体部を把持して傾けた状態で、かつ、携帯端末の向きを変更して使用する場合にも、部品点数が増加するのを抑制しながら衛星電波受信アンテナの指向性を天頂方向に向けることが可能な携帯端末を提供する。【解決手段】この携帯通信端末１００（携帯端末）は、端末本体部１と、端末本体部１の表面と略平行な状態で回動可能に取り付けられた表示部２と、表示部２と一体的に回動するＧＰＳアンテナ２２とを備え、端末本体部１の使用時に、表示部２の表示方向の上方向Ｓを端末本体部１の上方向にして端末本体部１が斜めに角度φ傾けられて保持される場合に、第１回動位置Ｐａ１と第２回動位置Ｐａ２とのいずれの位置にある場合においても指向性の方向Ｒが天頂方向を向くように、ＧＰＳアンテナ２２の指向性の方向Ｒが、表示部２の表示面２ａに対して所定の角度θ傾斜した方向になるように設定されている。【選択図】図９
2010088067.tif 000002
【特許請求の範囲】
【請求項１】
端末本体部と、
前記端末本体部に、前記端末本体部の表面と略平行な状態で第１表示位置と第２表示位置とに回動可能に取り付けられた表示部と、
前記表示部と一体的に回動するように前記表示部に設けられ、前記表示部が前記第１表示位置に位置するときには、第１回動位置に位置するとともに、前記表示部が前記第２表示位置に位置するときには、前記第１回動位置とは異なる第２回動位置に位置するように構成された上方に単一指向性を有する１つの衛星電波受信アンテナとを備え、
前記端末本体部の使用時に、ユーザにより前記表示部の表示方向の上方向が前記端末本体部の上方向にされた状態で前記端末本体部および前記表示部の表示面が水平面に対して斜めに傾けられて保持される場合に、前記衛星電波受信アンテナが前記第１回動位置と前記第２回動位置とのいずれの位置にある場合においても前記衛星電波受信アンテナの指向性の方向が天頂方向を向くように、前記１つの衛星電波受信アンテナの指向性の方向が、前記表示部の表示面に対して所定の角度傾斜した方向になるように設定されている、携帯端末。
【請求項２】
前記表示部の表示面に対する前記衛星電波受信アンテナの所定の角度は、３０度以上６０度以下の角度を有する、請求項１に記載の携帯端末。
【請求項３】
前記表示部は、少なくとも９０度回動可能に設けられ、
前記表示部に設けられた衛星電波受信アンテナは、前記表示部の表示方向の上方向側の位置に配置されている、請求項１または２に記載の携帯端末。
【請求項４】
前記端末本体部は、平面的に見て長方形状を有し、前記表示部が前記第１表示位置に位置して前記衛星電波受信アンテナが前記第１回動位置にある場合に、前記表示部の表示方向の上下方向が前記端末本体部の長手方向となるように構成されるとともに、前記表示部が前記第２表示位置に位置して前記衛星電波受信アンテナが前記第２回動位置にある場合に、前記表示部の表示方向の上下方向が前記端末本体部の短手方向となるように構成されている、請求項１〜３のいずれか１項に記載の携帯端末。
【請求項５】
前記表示部は、平面的に見て、前記長方形状の端末本体部の上面の一部と重複するように設けられるとともに、前記衛星電波受信アンテナが前記端末本体部に対して第１回動位置または前記第２回動位置に位置するように前記表示部が前記第１表示位置または前記第２表示位置に回動された場合に、平面的に見て前記長方形状の端末本体部の外形線内に収まるように構成されている、請求項４に記載の携帯端末。
【請求項６】
前記表示部は、表示画面部と、前記表示画面部を取り囲むように配置された枠体とを含み、
前記衛星電波受信アンテナは、前記表示部の前記端末本体部に対する回動中心から所定の距離だけ離れた前記表示部の枠体に設けられている、請求項１〜５のいずれか１項に記載の携帯端末。
【請求項７】
前記表示部の表示方向は前記表示部に対して固定的であるとともに、前記表示部が前記第１表示位置と前記第２表示位置との間で回動された場合に、前記表示部の回動分だけ前記端末本体部に対して前記表示部の表示方向が回動するように構成され、
前記表示部の表示方向に対する前記衛星電波受信アンテナの指向性の方向は、前記表示部が前記端末本体部に対して前記第１表示位置と前記第２表示位置とに回動した場合にも変化しないように構成されている、請求項１〜６のいずれか１項に記載の携帯端末。
【発明の詳細な説明】
【技術分野】
【０００１】
この発明は、携帯端末に関し、特に、アンテナを備えた携帯端末に関する。
【背景技術】
【０００２】
従来、アンテナを備えた携帯端末が知られている（たとえば、特許文献１〜４参照）。
【０００３】
上記特許文献１には、表示部が設けられた板状の上側筐体と、操作ボタンなどが設けられた板状の下側筐体と、上側筐体および下側筐体の間に設けられた中間筐体と、中間筐体内部に設けられた円偏波特性を有するＧＰＳ（Ｇｌｏｂａｌ  Ｐｏｓｉｔｉｏｎｉｎｇ  Ｓｙｓｔｅｍ）受信用のパッチアンテナとを備えた折畳式携帯無線装置（携帯端末）が開示されている。この折畳式携帯無線装置は、上側筐体が中間筐体を介して、下側筐体に対して水平面内で回動（旋回）可能に構成することにより、下側筐体の向きを変えることなく上側筐体の表示部を縦横に変更して使用することができるように構成されている。また、中間筐体に設けられたパッチアンテナは、下側筐体を水平面上に置いた場合に、天頂方向（ＧＰＳ衛星側）に指向性を有するように構成されている。これにより、上記特許文献１による折畳式携帯無線装置では、上側筐体とともに水平面内で旋回可能な中間筐体にパッチアンテナを設けることによって、水平面上に配置した状態で上側筐体を回動させ水平面内で表示部を縦横に変更する場合にも、中間筐体（パッチアンテナ）の回動によって指向性の方向が変わることなく、指向性を天頂方向に向けることができるように構成されている。
【０００４】
上記特許文献２には、上側筐体および下側筐体と、直線偏波（水平偏波）の衛星電波受信アンテナと、直線偏波（垂直偏波）の通信アンテナとを備え、衛星電波受信アンテナの偏波面と通信アンテナの偏波面（垂直偏波および水平偏波）とが互いに直交するように構成された、測位装置（携帯端末）が開示されている。この衛星電波受信アンテナは、上下方向（鉛直方向）に延びる指向性を有し、鉛直方向と直交するアンテナの延びる軸方向からの電波は受信しにくくなるように構成されている。この衛星電波受信アンテナと通信アンテナとは、偏波面が直交するため、通信アンテナから送受信される電波を衛星電波受信アンテナが受信するのを抑制している。
【０００５】
また、上記特許文献３には、筐体と、筐体の対向する両側面にそれぞれ設けられた第１の逆Ｆ型アンテナおよび第２の逆Ｆ型アンテナと、筐体の傾きを検出する検出器と、第１および第２の逆Ｆ型アンテナの一方から他方への接続切替を行う高周波信号切替器と、第１および第２の逆Ｆ型アンテナの設けられた側面と直交する方向の側面（前面）に設けられた受話器および送話器とを備えたアンテナ切替形携帯無線機（携帯端末）が開示されている。ユーザが受話器に耳を当て送話器を口元に近づけた状態の通話時においては、携帯無線機（筐体）が大きく傾くことになる。このため、このアンテナ切替形携帯無線機は、検出部がアンテナ切替形携帯無線機の傾きを検出し、検出部からの出力に基づいて高周波信号切替器が、筐体の両側面にそれぞれ設けられた第１および第２の逆Ｆ型アンテナのうち、上方（鉛直方向上方）側に位置する逆Ｆ型アンテナと接続して電波の送受信を行うように構成されている。
【０００６】
また、上記特許文献４には、筐体と、複数のアンテナと、複数のアンテナから受信感度のよいアンテナを選択して切り替えるアンテナダイバーシティ通信を行うための選択部と、各アンテナに接続される受信部とを備えた携帯型無線通信機（携帯端末）が開示されている。この携帯型無線通信機では、複数のアンテナのそれぞれを、別個に設けられた回路基板またはグランドパターンに接続する等により、複数のアンテナの放射特性の相関が互いに小さくなるように構成されている。
【０００７】
【特許文献１】特開２００７−１６６５３３号公報
【特許文献２】特開２００６−１４５３１４号公報
【特許文献３】特開昭６１−２００７０２号公報
【特許文献４】特開平３−２８０６２５号公報
【発明の開示】
【発明が解決しようとする課題】
【０００８】
しかしながら、上記特許文献１に記載の折畳式携帯無線装置では、中間筐体に設けられたパッチアンテナが、下側筐体を水平面上に置いた状態で天頂方向に指向性を有するように構成されている一方、ＧＰＳによる位置情報の表示機能（ＧＰＳ機能）を使用する場合には、ユーザが表示部を見ながら操作を行う必要がある。このため、ユーザが下側筐体を把持し、表示部を見やすい角度に傾けて保持した状態で使用する場合には、パッチアンテナの指向性が天頂方向（ＧＰＳ衛星側）ではなくユーザの方向に向いてしまうので、ユーザが装置を把持して使用する場合にはパッチアンテナの指向性を天頂方向に向けることができないという問題点がある。
【０００９】
また、上記特許文献２に記載の測位装置では、衛星電波受信アンテナが上下方向（重力方向）に延びる指向性を有し、重力方向と直交するアンテナの延びる軸方向からの電波は受信しにくくなるように構成されているため、筐体を回動して装置自体の向きを横向きにして傾けた場合には、衛星電波受信アンテナの指向性が横方向に傾いて衛星電波受信アンテナの延びる軸方向から衛星電波が入ることになり、衛星電波が受信しにくくなるという不都合がある。このため、測位装置の向きを変更して使用する場合には、衛星電波受信アンテナの指向性の方向を天頂方向に向けることができないという問題点がある。
【００１０】
また、上記特許文献３に記載のアンテナ切替形携帯無線機では、装置の姿勢の変化に起因する受信感度の低下を抑制するために、複数のアンテナと傾きの検出器と高周波信号切替器とを必要とするので、部品点数が増加するという問題点がある。
【００１１】
また、上記特許文献４に記載の携帯型無線通信機では、複数のアンテナから受信感度のよいアンテナを選択して切り替えるアンテナダイバーシティ通信を行うために、複数のアンテナと、複数のアンテナにそれぞれ接続される別個に設けられた回路基板またはグランドパターンと、専用の選択部とが必要となるので、部品点数が増加するという問題点がある。
【００１２】
この発明は、上記のような課題を解決するためになされたものであり、この発明の１つの目的は、ユーザが端末本体部を把持して傾けた状態で、かつ、携帯端末の向きを変更して使用する場合にも、部品点数が増加するのを抑制しながら衛星電波受信アンテナの指向性を天頂方向に向けることが可能な携帯端末を提供することである。
【課題を解決するための手段および発明の効果】
【００１３】
この発明の第１の局面による携帯端末は、端末本体部と、端末本体部に、端末本体部の表面と略平行な状態で第１表示位置と第２表示位置とに回動可能に取り付けられた表示部と、表示部と一体的に回動するように表示部に設けられ、表示部が第１表示位置に位置するときには、第１回動位置に位置するとともに、表示部が第２表示位置に位置するときには、第１回動位置とは異なる第２回動位置に位置するように構成された上方に単一指向性を有する１つの衛星電波受信アンテナとを備え、端末本体部の使用時に、ユーザにより表示部の表示方向の上方向が端末本体部の上方向にされた状態で端末本体部および表示部の表示面が水平面に対して斜めに傾けられて保持される場合に、衛星電波受信アンテナが第１回動位置と第２回動位置とのいずれの位置にある場合においても衛星電波受信アンテナの指向性の方向が天頂方向を向くように、１つの衛星電波受信アンテナの指向性の方向が、表示部の表示面に対して所定の角度傾斜した方向になるように設定されている。
【００１４】
この第１の局面による携帯端末では、上記のように、表示部と一体的に回動するように表示部に設けられ、上方に単一指向性を有する１つの衛星電波受信アンテナを、端末本体部の使用時に、ユーザにより表示部の表示方向の上方向が端末本体部の上方向にされた状態で端末本体部および表示部の表示面が水平面に対して斜めに傾けられて保持される場合に、衛星電波受信アンテナが第１回動位置と第２回動位置とのいずれの位置にある場合においても衛星電波受信アンテナの指向性の方向が天頂方向を向くように、１つの衛星電波受信アンテナの指向性の方向が、表示部の表示面に対して所定の角度傾斜した方向になるように設定することによって、ユーザが表示部を回動させるとともに、視認性の観点から表示部の表示方向を上方向にし、かつ、表示面を水平面に対して傾けた状態で端末本体部を保持した場合に、表示部の回動に伴って移動する第１回動位置と第２回動位置とのいずれの位置においても、衛星電波受信アンテナの指向性が天頂方向を向くので、ユーザが携帯端末を把持し、携帯端末の向きを縦向きおよび横向きなどに変更して使用する場合にも、衛星電波受信アンテナの指向性を天頂方向に向けることができる。さらに、ユーザが表示部を見ながら携帯端末を使用する場合には、常に表示部の表示方向が上方となるように携帯端末が保持される。このため、端末本体部に、端末本体部の表面と略平行な状態で第１表示位置と第２表示位置とに回動可能に取り付けられた表示部と、表示部と一体的に回動するように表示部に設けられた１つの衛星電波受信アンテナとを備えることによって、ユーザが携帯端末の向きを縦向きおよび横向きなどに変更して使用する場合に、表示部を回動させても表示部の表示方向に対する衛星電波受信アンテナの位置が変わらないようにすることができる。これにより、ユーザが携帯端末の向きを変更した場合にも、縦向きの場合と横向きの場合とにそれぞれ対応するように複数のアンテナとアンテナの切替部とを別途設ける必要がなくなるので、部品点数が増加するのを抑制することができる。
【００１５】
上記第１の局面による携帯端末において、好ましくは、表示部の表示面に対する衛星電波受信アンテナの所定の角度は、３０度以上６０度以下の角度を有する。このように構成すれば、ユーザが端末本体部を把持してＧＰＳ機能を使用する場合には、通常、ユーザが表示部を見やすいように、表示部を水平方向に対して４５度程度の角度に傾けた状態で端末本体部が保持されるので、端末本体部を把持した状態において、衛星電波受信アンテナの指向性の方向が水平方向から４５度程度傾いた表示部の表示面に対して３０度以上６０度以下の角度を有することとなり、衛星電波受信アンテナの指向性の方向を、水平方向に対して略９０度（天頂方向）の近傍となるようにすることができる。これにより、端末本体部を把持した使用時の状態で、上方に単一指向性を有する衛星電波受信アンテナの指向性を天頂方向に向けることができる。
【００１６】
上記第１の局面による携帯端末において、好ましくは、表示部は、少なくとも９０度回動可能に設けられ、表示部に設けられた衛星電波受信アンテナは、表示部の表示方向の上方向側の位置に配置されている。ここで、表示部を見ながら操作するＧＰＳ機能等の使用時には、ユーザにより端末本体部を縦向きまたは横向きに保持して携帯端末が使用される場合が多いが、表示部を視認する必要から携帯端末の向きによらず常に表示部の表示方向が上方となるように端末本体部が保持されるので、上記のように構成することによって、表示部を少なくとも９０度回動させることにより容易に携帯端末を縦向きおよび横向きに使用することができるとともに、衛星電波受信アンテナを、携帯端末の向きによらず使用時に表示部の上方向側に配置させることができる。これにより、衛星電波受信アンテナが携帯端末の向きによって表示部や端末本体部の下側に配置されてしまう場合と異なり、端末本体部や表示部等に衛星電波が遮られることがないので、携帯端末の向きによらず良好な受信感度を維持することができる。
【００１７】
上記第１の局面による携帯端末において、好ましくは、端末本体部は、平面的に見て長方形状を有し、表示部が第１表示位置に位置して衛星電波受信アンテナが第１回動位置にある場合に、表示部の表示方向の上下方向が端末本体部の長手方向となるように構成されるとともに、表示部が第２表示位置に位置して衛星電波受信アンテナが第２回動位置にある場合に、表示部の表示方向の上下方向が端末本体部の短手方向となるように構成されている。このように構成すれば、長方形状の端末本体部の長手方向を上下方向に向けて縦向きで携帯端末を使用する場合には、衛星電波受信アンテナが第１回動位置に配置され、長方形状の端末本体部の長手方向を水平方向に向けて横向きで携帯端末を使用する場合には、衛星電波受信アンテナが第２回動位置に配置されるので、携帯端末を縦向き（長手方向が表示方向の上下方向）または横向き（短手方向が表示方向の上下方向）で使用する場合にも、常に、衛星電波受信アンテナの指向性が天頂方向を向いた状態で使用することができる。
【００１８】
この場合において、好ましくは、表示部は、平面的に見て、長方形状の端末本体部の上面の一部と重複するように設けられるとともに、衛星電波受信アンテナが端末本体部に対して第１回動位置または第２回動位置に位置するように表示部が第１表示位置または第２表示位置に回動された場合に、平面的に見て長方形状の端末本体部の外形線内に収まるように構成されている。このように構成すれば、衛星電波受信アンテナが端末本体部に対して第１回動位置に位置する場合にも、端末本体部に対して第２回動位置に位置する場合にも、平面的に見て表示部が長方形状の端末本体部の外周から突出することがないので、たとえば表示部の回動により端末本体部と表示部とがＬ字状に配置される場合と異なり、携帯端末の向きを変えても、携帯端末の持ち易さと操作性とを損なうことなく使用することができる。
【００１９】
上記第１の局面による携帯端末において、好ましくは、表示部は、表示画面部と、表示画面部を取り囲むように配置された枠体とを含み、衛星電波受信アンテナは、表示部の端末本体部に対する回動中心から所定の距離だけ離れた表示部の枠体に設けられている。このように構成すれば、表示部に衛星電波受信アンテナを設けたとしても、表示部の表示画面部による表示の妨げになることがない。
【００２０】
上記第１の局面による携帯端末において、好ましくは、表示部の表示方向は表示部に対して固定的であるとともに、表示部が第１表示位置と第２表示位置との間で回動された場合に、表示部の回動分だけ端末本体部に対して表示部の表示方向が回動するように構成され、表示部の表示方向に対する衛星電波受信アンテナの指向性の方向は、表示部が端末本体部に対して第１表示位置と第２表示位置とに回動した場合にも変化しないように構成されている。このように構成すれば、表示部を第１表示位置と第２表示位置との間で回動させ、表示部の表示方向が上方となるように携帯端末の向きを変えた場合にも、表示部の表示方向に対する衛星電波受信アンテナの指向性の方向は変化しないので、表示部に表示される画像などの表示方向を表示部の回動位置に合わせて変更（回動）する制御を行う必要がなく、携帯端末の制御を簡素化することができる。また、表示部または端末本体部の向きの変化に伴って表示方向を変える場合に携帯端末の向きを検出するためのセンサが必要となるのと異なり、専用のセンサを用いることなく表示方向と衛星電波受信アンテナの指向性の方向とを対応させることができる。
【発明を実施するための最良の形態】
【００２１】
以下、本発明を具体化した実施形態を図面に基づいて説明する。
【００２２】
図１および図３は、本発明の一実施形態による携帯通信端末の全体構成を示した斜視図である。また、図２および図４〜図１０は、図１および図３に示した本発明の一実施形態による携帯通信端末の詳細な構成を示した図である。まず、図１〜図１０を参照して、本発明の一実施形態による携帯通信端末１００の構成について説明する。なお、本実施形態では、携帯端末の一例である携帯通信端末１００に本発明を適用した例について説明する。
【００２３】
本発明の一実施形態による携帯通信端末１００は、図１および図３に示すように、端末本体部１と、表示部２と、端末本体部１と表示部２とを回動可能に連結する軸部３とを備える。また、端末本体部１には、マイク１０と、スピーカ１１と、キーボード１２と、通信アンテナ１３（破線参照）とを備えている。また、図５に示すように、携帯通信端末１００は、端末本体部１の内部に、通信回路１４と、ＧＰＳ無線回路１５と、制御回路３０とを備えている。また、図１および図３に示すように、表示部２は、ディスプレイ２０と、フレーム２１と、ＧＰＳアンテナ２２とを含んでいる。また、携帯通信端末１００は、全地球測位システム（ＧＰＳ）を用いた位置情報を表示部２に表示させる機能（ＧＰＳ機能）を有する。なお、ＧＰＳアンテナ２２は、本発明の「衛星電波受信アンテナ」の一例である。また、ディスプレイ２０およびフレーム２１は、それぞれ本発明の「表示画面部」および「枠体」の一例である。
【００２４】
携帯通信端末１００の端末本体部１は、図２に示すように、平面的に見て板状の長方形状を有する。端末本体部１の上面には、キーボード１２が配置され、端末本体部１の長手方向（図１のＹ方向）の両端部近傍に、それぞれマイク１０とスピーカ１１とが配置されている。また、端末本体部１の上面には、壁部１ｂを有する凹部１ａが形成されていて、この凹部１ａに表示部２のフレーム２１が軸部３を介して取り付けられている。凹部１ａは、表示部２（のフレーム２１）が取り付けられた状態で、端末本体部１の上面と、表示部２の上面（フレーム２１の上面）とが略面一となるように形成されている。端末本体部１の壁部１ｂは、表示部２を挟んで端末本体部１の長手方向（図１および図２のＹ方向）の両側に円弧状に設けられている。これにより、軸部３を回動中心として表示部２を端末本体部１に対して回動させる際に、表示部２のフレーム２１が壁部１ｂに沿って回動するように構成されている。
【００２５】
また、図１に示すように、表示部２のフレーム２１には、ディスプレイ２０が嵌め込まれて固定されている。この表示部２の表示方向の上方向側（図１のＹ２方向側）において、フレーム２１の内部にはＧＰＳアンテナ２２（図１の破線参照）が内蔵されている。表示部２は、平面的に見て長方形状を有し、端末本体部１の上面の一部（凹部１ａの部分）と重なるように軸部３により端末本体部１に対して回動可能に取り付けられている。図２に示すように、長方形状を有する表示部２は、平面的に見て中心の位置で軸部３と連結され、端末本体部１の表面と略平行な状態で軸部３を回動中心として左右（α方向およびβ方向）にそれぞれ約９０度の範囲で回動可能に構成されている。
【００２６】
ここで、携帯通信端末１００のＧＰＳ機能を使用する場合には、表示部２を端末本体部１に対して任意の角度だけ回動させた状態でも、ユーザは、表示部２に表示された位置情報を確認しながら操作を行う必要があるので、表示部２の表示方向が上方向となるように端末本体部１を把持して使用する。たとえば、図２に示すように、表示部２の表示方向の上方向Ｓが端末本体部１の長手方向（図２のＹ２方向）と一致する第１表示位置Ｐｄ１に表示部２が配置される場合、ユーザは、このＹ２方向を携帯通信端末１００の上方向となるように保持する。この場合には、携帯通信端末１００は、端末本体部１の長手方向（図１のＹ方向）を上下方向とした縦向きに使用される。一方、図４に示すように、表示部２をα方向に９０度回動させて、表示部２の表示方向の上方向Ｓが端末本体部１の短手方向（図４のＹ２方向）と一致する第２表示位置Ｐｄ２に表示部２が配置される場合、ユーザは、このＹ２方向を携帯通信端末１００の上方向となるように保持する。この場合には、携帯通信端末１００は、端末本体部１の短手方向（図４のＹ方向）を上下方向とした横向き（長手方向がＸ方向）に使用される。このように、携帯通信端末１００は、表示部２の表示方向の上方向Ｓが常に携帯通信端末１００の上方向となるように構成されている。
【００２７】
これにより、表示部２は、図２に示すように、端末本体部１の長手方向（Ｙ方向）と表示部２の表示方向の上下方向（Ｙ方向）とが一致した状態から、端末本体部１の短手方向（図２のＸ方向）と表示部２の表示方向の上下方向とが一致した状態に回動して、図４に示すように、端末本体部１の短手方向が上下方向となるように切替可能に構成されている。このため、表示部２がユーザによって回動されることにより、携帯通信端末１００は、縦向きにも横向きにも使用可能に構成されている。
【００２８】
また、表示部２は、第１表示位置Ｐｄ１に配置された縦向きの状態（図２参照）、および、第２表示位置Ｐｄ２に回動された横向きの状態（図４参照）の両方の状態において、平面的に見て、端末本体部１の外形線内に収まるように構成されている。具体的には、表示部２は、図２に示すように、端末本体部１の短手方向の長さＡと表示部２のフレーム２１の長手方向（図２のＸ方向）の長さとが等しくなるように構成されている。一方、図２の縦向きの状態から図４の横向きの状態に回動させると、長さＢ（Ｂ＜Ａ）を有する表示部２の短手方向（図４のＹ方向）が端末本体部１の短手方向（長さＡ）と一致するので、図２に示す横向きの状態では、平面的に見て表示部２の長手側が、端末本体部１の長手側よりも内側に配置されるように構成されている。これにより、第１表示位置Ｐｄ１の縦向きの状態（図２参照）と第２表示位置Ｐｄ２に回動された横向きの状態（図４参照）との両方の状態で、表示部２が端末本体部１から突出した位置に配置されることがないように構成されている。
【００２９】
また、軸部３は、表示部２を端末本体部１に対して回動可能に保持するとともに、軸部３の内部から配線（図示せず）を通すことにより、表示部２のディスプレイ２０と端末本体部１の制御回路３０とが電気的に接続されるように構成されている。これにより、制御回路３０から画像情報が軸部３を介して表示部２のディスプレイ２０へ出力される。また、軸部３は、表示部２の回動を固定する機能を有する。このため、ユーザが任意の回転角度位置で表示部２を固定することができるように構成されている。これにより、携帯通信端末１００は、図２に示す端末本体部１の長手方向を上下方向とする状態（縦向き）と、図４に示す端末本体部１の短手方向を上下方向とする状態（横向き）とに切替可能となるように、表示部２を所要の回転角度位置に固定することが可能である。
【００３０】
携帯通信端末１００のマイク１０は、携帯通信端末１００のユーザの声を検出して電気信号に変換する機能を有する。また、図５に示すように、この電気信号に変換された音声は、制御回路３０に出力されるように構成されている。また、スピーカ１１は、制御回路３０より出力される電気信号を音声に変換し、ユーザに伝達する機能を有する。
【００３１】
キーボード１２は、ユーザが携帯通信端末１００の操作を行うための入力情報を制御回路３０へ出力する機能を有する。また、図１に示すように、携帯通信端末１００のユーザは、キーボード１２のダイヤルボタン１２ａから電話番号の入力、文字入力などを行う。また、携帯通信端末１００は、機能ボタン１２ｂから、携帯通信端末１００の設定や、ＧＰＳを用いた位置情報の表示などの各種機能を実行するように構成されている。ユーザは、ＧＰＳによる位置情報の取得および表示を行う場合には、表示部２に表示される項目や、現在位置を示す画像を見ながら選択ボタン１２ｃを操作することにより、ＧＰＳによる位置情報の表示機能を実行する。また、携帯通信端末１００は、メールボタン１２ｄにより、電子メール送受信に関する機能を実行するように構成されている。
【００３２】
また、図５に示すように、携帯通信端末１００の通信回路１４は、端末本体部１に内蔵された通信アンテナ１３を介して通信電波の送受信を行う機能を有する。通信回路１４は、基地局を介して携帯電話網およびインターネットへの無線通信接続を行うことができるように構成されている。これにより、携帯通信端末１００は、他の通信端末との電話回線を用いた通話や、電子メールの送受信を行う。また、通信回路１４が受信した情報は、制御回路３０へ出力される。
【００３３】
また、ＧＰＳ無線回路１５は、全地球測位システム（ＧＰＳ）を用いて携帯通信端末１００の位置情報を取得する機能を有する。ＧＰＳ無線回路１５は、表示部２のフレーム２１に内蔵されたＧＰＳアンテナ２２を介して、複数のＧＰＳ衛星２００（図９参照）から測位用電波を受信するとともに、受信した測位用電波の情報に基づき三次元測位を行うことにより、携帯通信端末１００の現在位置の測定を行うように構成されている。また、ＧＰＳ無線回路１５を用いて取得した位置情報は、制御回路３０に出力されるように構成されている。
【００３４】
また、表示部２のディスプレイ２０は、制御回路３０より出力される画像情報を表示する機能を有する。この画像情報には、画像データのほか、ＧＰＳを用いた携帯通信端末１００の位置情報、着信および送信先の電話番号や電子メールの内容、携帯通信端末１００の設定情報などのデータが含まれる。本実施形態では、表示部２（ディスプレイ２０）の表示方向は表示部２に対して固定的であるとともに、表示部２が第１表示位置Ｐｄ１と第２表示位置Ｐｄ２との間で回動された場合に、表示部２の回動分だけ端末本体部１に対して表示部２（ディスプレイ２０）の表示方向が回動するように構成されている。このため、本実施形態では、携帯通信端末１００が図２に示す縦向きの状態および図４に示す横向きの状態の両方の状態で使用することが可能であるが、表示部２自体が第１表示位置Ｐｄ１および第２表示位置Ｐｄ２に回動することによって端末本体部１に対する表示部２の表示方向を回動させるように構成されているので、ディスプレイ２０に表示される画像（たとえば、図１〜図４の「ＴＥＳＴ」の文字）の表示方向は変わらないように構成されている。これにより、制御回路３０から出力される画像情報を、縦向きで使用する場合と横向きで使用する場合とで変更する必要がない。このため、縦向きで使用する場合と横向きで使用する場合とで制御回路３０から出力される画像情報の向きを変更する場合と比較して、携帯通信端末１００の制御を簡素化し、後述するＣＰＵ３１が画像表示の処理を行う際の負荷を抑制することが可能である。
【００３５】
また、図１に示すように、フレーム２１は、ディスプレイ２０の外周を取り囲むようにしてディスプレイ２０を固定および保護することにより表示部２の外周部を構成している。また、フレーム２１は、外周部にＧＰＳアンテナ２２を内蔵している。フレーム２１は、ＧＰＳアンテナ２２を外周部に内蔵することにより、表示部２が第１表示位置Ｐｄ１および第２表示位置Ｐｄ２に回動する際に、表示部２（ディスプレイ２０）とＧＰＳアンテナ２２とを一体的に回動させる機能を有する。具体的には、図２に示すように、表示部２の表示方向の上方向Ｓが端末本体部１の長手方向を向く場合（表示部２が第１表示位置Ｐｄ１に位置する場合）には、ＧＰＳアンテナ２２が第１回動位置Ｐａ１に配置される。そして、図４に示すように、表示部２がα方向に約９０度回動して表示部２の表示方向の上方向Ｓが端末本体部１の短手方向を向く場合（表示部２が第２表示位置Ｐｄ２に位置する場合）には、フレーム２１に内蔵されたＧＰＳアンテナ２２も回動されるので、第２回動位置Ｐａ２に移動されるように構成されている。このため、表示部２が端末本体部１に対して回動した場合にも、表示部２の表示方向に対するＧＰＳアンテナ２２の位置は変わらないように構成されている。このとき、第１回動位置Ｐａ１および第２回動位置Ｐａ２のいずれの位置にある場合においても、表示部２の表示方向に対するＧＰＳアンテナ２２の向きは変わることがなく、表示部２の表示方向に対するＧＰＳアンテナ２２の後述するＲ方向の指向性が変わらないように構成されている。
【００３６】
ＧＰＳアンテナ２２は、図６に示すように、アンテナ表面２２ａに対して上方（Ｒ方向）に単一指向性を有するとともに、円偏波特性を有するように構成されている。このＧＰＳアンテナ２２は、図９に示すように、アンテナ表面２２ａに対して上方（Ｒ方向）に広い指向性パターンＱを有するため、ＧＰＳアンテナ２２のＲ方向の指向性を天頂方向（ＧＰＳ衛星２００側）に向けた状態で、最も広範囲にＧＰＳ衛星２００からの衛星電波（測位用電波）を受信することが可能である。これにより、位置の異なる複数のＧＰＳ衛星２００からの衛星電波（測位用電波）を、適切に受信することができる。
【００３７】
また、表示部２に内蔵されたＧＰＳアンテナ２２は、図１に示すように、フレーム２１において、表示部２の表示方向の上方向Ｓ側に設けられている。したがって、図１および図３に示すように、携帯通信端末１００の姿勢を縦向きにした場合および横向きにした場合のいずれの場合でも、ＧＰＳアンテナ２２が第１回動位置Ｐａ１および第２回動位置Ｐａ２に移動されることにより、携帯通信端末１００の上方向に配置されるように構成されている。また、ＧＰＳアンテナ２２は、表示部２の端末本体部１に対する回動中心である軸部３から距離Ｌだけ離れた位置に配置されている。このため、表示部２が第１表示位置Ｐｄ１（図２参照）から第２表示位置Ｐｄ２（図４参照）に回動されてＧＰＳアンテナ２２が第１回動位置Ｐａ１から第２回動位置Ｐａ２へ移動する場合には、ＧＰＳアンテナ２２は、軸部３を中心として半径Ｌの円弧上を回動するように構成されている。また、表示部２に内蔵されたＧＰＳアンテナ２２は、図６に示すように、表示部２（ディスプレイ２０）の表示面２ａに対して表示部２（ディスプレイ２０）の表示方向の上方向Ｓから、角度θを有するように固定的に設置されている。ここで、角度θは、略３０度以上略６０度以下の範囲で設定される。本実施形態では、この角度θは約４５度となるように構成されている。
【００３８】
上記のように、図７に示すように、表示部２の表示方向の上方向Ｓが携帯通信端末１００の長手方向となる場合に、ＧＰＳアンテナ２２は、第１回動位置Ｐａ１に配置され、表示部２の表示面２ａに対して表示部２の表示方向の上方向Ｓから、角度θ＝４５度を有するように固定的に設置されている。また、図８に示すように、表示部２の表示方向の上方向Ｓが携帯通信端末１００の短手方向となる場合に、ＧＰＳアンテナ２２は、第２回動位置Ｐａ２に配置され、表示部２の表示面２ａに対して表示部２の表示方向の上方向Ｓから、角度θ＝４５度を有するように固定的に設置されている。したがって、図７および図８に示すように、ＧＰＳアンテナ２２の指向性の方向Ｒは、ＧＰＳアンテナ２２が第１回動位置Ｐａ１に配置される場合（携帯通信端末１００が縦向きとなる場合）にも、第２回動位置Ｐａ２には位置される場合（携帯通信端末１００が横向きとなる場合）にも、表示部２の表示方向の上方向Ｓが端末本体部１の上方向となるように保持した状態では、表示部２の表示面２ａに対して角度θ（＝４５度）傾斜した、同一方向を向くように構成されている。
【００３９】
ここで、本実施形態では、図６に示すように、通常、携帯通信端末１００をユーザが把持してＧＰＳによる位置情報を表示部２に表示させる機能を使用する場合には、表示部２に表示される画像を見ながら選択ボタン１２ｃを操作する必要があるため、携帯通信端末１００は、表示部２がユーザにとって見易い角度となるように、表示部２の表示方向の上方向Ｓが水平面から所定の角度φだけ傾くように端末本体部１を傾けて保持した状態で使用される。この携帯通信端末１００の保持角度（表示部２の表示面２ａの水平面に対する傾き角）φは、約４５度程度となると考えられる。この場合に、ＧＰＳアンテナ２２の指向性の方向Ｒが、表示部２の表示面２ａに対して表示部２の表示方向の上方向Ｓから角度θ＝約４５度の方向となるため、ＧＰＳアンテナ２２の指向性の方向Ｒは、水平面から約４５度＋約４５度＝約９０度の鉛直上方を向くように構成されている。これにより、本実施形態では、携帯通信端末１００をユーザが把持して表示部２を見ながら使用する場合に、ＧＰＳアンテナ２２の指向性が、携帯通信端末１００が縦向きとなる第１回動位置Ｐａ１と、携帯通信端末１００が横向きとなる第２回動位置Ｐａ２とのいずれの位置にある場合においても、天頂方向（鉛直上方）を向くように構成されている。すなわち、図９に示すように、ＧＰＳアンテナ２２が第１回動位置Ｐａ１に配置されて表示部２の表示方向の上方向Ｓが端末本体部１の長手方向となる場合において、ＧＰＳアンテナ２２の指向性が天頂方向（図９のＲ方向）を向くように構成されている。同様に、図１０に示すように、ＧＰＳアンテナ２２が第２回動位置Ｐａ２に配置されて表示部２の表示方向の上方向Ｓが端末本体部１の短手方向となる場合において、ＧＰＳアンテナ２２の指向性が天頂方向（図１０のＲ方向）を向くように構成されている。
【００４０】
このように、本実施形態では、携帯通信端末１００の姿勢に関わらず、ＧＰＳによる位置情報の表示機能を使用する際に、表示部２の表示方向の上方向Ｓが端末本体部１（携帯通信端末１００）の上方向となるようにし、かつ、水平面に対して角度φだけ端末本体部１を傾けて保持した状態では、常にＧＰＳアンテナ２２の指向性が天頂方向を向くように構成されている。
【００４１】
また、図５に示すように、携帯通信端末１００は、制御回路３０により制御されている。制御回路３０は、ＣＰＵ（Ｃｅｎｔｒａｌ  Ｐｒｏｃｅｓｓｉｎｇ  Ｕｎｉｔ）３１と、Ｉ／Ｆ（Ｉｎｔｅｒｆａｃｅ）３２と、ＲＡＭ（Ｒａｎｄｏｍ  Ａｃｃｅｓｓ  Ｍｅｍｏｒｙ）３３と、ＲＯＭ（Ｒｅａｄ  Ｏｎｌｙ  Ｍｅｍｏｒｙ）３４とを含んでいる。
【００４２】
制御回路３０のＣＰＵ３１は、携帯通信端末１００の全体の制御を行うように構成されている。すなわち通信回路１４を介した携帯通信端末１００の通信制御およびＧＰＳ無線回路１５を介した位置情報の取得を行うとともに、マイク１０、スピーカ１１、キーボード１２およびディスプレイ２０の制御を行うように構成されている。また、ＣＰＵ３１は、ＲＯＭ３４よりプログラムを読み出して所定の機能を実行するとともに、携帯通信端末１００の機器設定情報、送受信された電子メール、画像データおよび位置情報などをＲＡＭ３３に記憶させる機能を有する。ＧＰＳによる位置情報の表示機能を使用する際には、ＣＰＵ３１がキーボード１２からの入力情報に基づきＧＰＳ無線回路１５を介して位置情報の取得を行い、取得した携帯通信端末１００の現在位置の画像をディスプレイ２０に出力するように構成されている。
【００４３】
また、制御回路３０は、Ｉ／Ｆ３２を通じてマイク１０、スピーカ１１、キーボード１２およびディスプレイ２０と接続されている。ＣＰＵ３１によるマイク１０、スピーカ１１、キーボード１２およびディスプレイ２０の制御および情報の入出力は、Ｉ／Ｆ３２を介して行われるように構成されている。
【００４４】
制御回路３０のＲＡＭ３３は、ＣＰＵ３１による制御に伴い生成される一時データや、送受信された電子メール、設定情報および各種の履歴などを書き換え可能に記憶する機能を有する。また、ＲＯＭ３４には、ＧＰＳを用いた位置情報の取得などのＣＰＵ３１による各種の機能を実現させるためのプログラムなどが記憶されている。
【００４５】
本実施形態では、上記のように、表示部２と一体的に回動するように表示部２に設けられ、上方（Ｒ方向）に単一指向性を有する１つのＧＰＳアンテナ２２を、端末本体部１の使用時に、ユーザにより表示部２の表示方向の上方向Ｓが端末本体部１の上方向にされた状態で端末本体部１および表示部２の表示面２ａが水平面に対して斜めに傾けられて保持される場合に、ＧＰＳアンテナ２２が第１回動位置Ｐａ１と第２回動位置Ｐａ２とのいずれの位置にある場合においても指向性の方向Ｒが天頂方向を向くように、１つのＧＰＳアンテナ２２の指向性の方向Ｒが、表示部２の表示面２ａに対して所定の角度θ傾斜した方向になるように設定することによって、ユーザが表示部２を回動させるとともに、視認性の観点から表示部２の表示方向Ｓを上方向にし、かつ、表示面２ａを水平面に対して角度φ傾けた状態で端末本体部１を保持した場合にも、表示部２の回動に伴って移動する第１回動位置Ｐａ１と第２回動位置Ｐａ２とのいずれの位置においても、ＧＰＳアンテナ２２の指向性が天頂方向を向くので、ユーザが携帯通信端末１００を把持し、携帯通信端末の向きを縦向き（図９参照）および横向き（図１０参照）に変更して使用する場合にも、ＧＰＳアンテナ２２の指向性を天頂方向に向けることができる。
【００４６】
さらに、ユーザが表示部２を見ながら携帯通信端末１００を使用する場合には、常に表示部２の表示方向Ｓが上方となるように携帯通信端末１００が保持される。このため、端末本体部１に、端末本体部１の表面と略平行な状態で第１表示位置Ｐｄ１と第２表示位置Ｐｄ２とに回動可能に取り付けられた表示部２と、表示部２と一体的に回動するように表示部２に設けられた１つのＧＰＳアンテナ２２とを備えることによって、ユーザが携帯通信端末１００の向きを縦向きおよび横向きなどに変更して使用する場合に、表示部２を回動させても表示部２の表示方向Ｓに対するＧＰＳアンテナ２２の位置が変わらないようにすることができる。これにより、ユーザが携帯通信端末１００の向きを変更した場合にも、縦向きの場合と横向きの場合とにそれぞれ対応するように複数のアンテナとアンテナの切替部とを別途設ける必要がなくなるので、部品点数が増加するのを抑制することができる。また、携帯通信端末１００を把持して使用する場合には、通常、ユーザが表示部２を見やすい角度φまで傾けた状態で端末本体部１が保持される。このため、ＧＰＳアンテナ２２を、ユーザによる端末本体部１の使用時に、表示部２の表示方向の上方向Ｓを端末本体部１の上方向にして端末本体部１が斜めに傾けられて保持される場合に、第１回動位置Ｐａ１と第２回動位置Ｐａ２とのいずれの位置にある場合においても指向性の方向Ｒが天頂方向を向くように、１つのＧＰＳアンテナ２２の指向性の方向Ｒが、表示部２の表示面２ａに対して所定の角度θ傾斜した方向になるように設定することによって、ユーザが携帯通信端末１００の端末本体部１を把持して使用する場合にも、使用時の端末本体部１が傾いた状態でＧＰＳアンテナ２２の指向性を天頂方向に向けることができる。
【００４７】
また、本実施形態では、上記のように、表示部２の表示面２ａに対するＧＰＳアンテナ２２の所定の角度θは、３０度以上６０度以下の角度を有するように構成することによって、ユーザが端末本体部１を把持してＧＰＳ機能を使用する場合には、通常、ユーザが表示部２を見やすいように、表示部２を水平方向に対して４５度程度の角度φだけ傾けた状態で端末本体部１が保持されるので、端末本体部１を把持した状態において、ＧＰＳアンテナ２２の指向性の方向Ｒが水平方向から４５度程度傾いた表示部２の表示面２ａに対して４５度の角度θを有することとなり、ＧＰＳアンテナ２２の指向性の方向Ｒを、水平方向に対して９０度（天頂方向）の近傍となるようにすることができる。これにより、端末本体部１を把持した使用時の状態で、上方に単一指向性を有するＧＰＳアンテナ２２の指向性を天頂方向に向けることができる。
【００４８】
また、本実施形態では、上記のように、表示部２は、左右（図１のα方向およびβ方向）にそれぞれ９０度回動可能に設けられ、表示部２に設けられたＧＰＳアンテナ２２は、表示部２の表示方向の上方向Ｓ側の位置に配置することによって、表示部２を９０度回動させることにより容易に携帯通信端末１００を縦向き（図２参照）および横向き（図４参照）に使用することができるとともに、ＧＰＳアンテナ２２を、携帯通信端末１００の向きによらず使用時に表示部２の上方向Ｓ側に配置させることができる。これにより、ＧＰＳアンテナ２２が携帯通信端末１００の向きによって表示部２や端末本体部１の下側に配置されてしまう場合と異なり、端末本体部１や表示部２等に衛星電波が遮られることがないので、携帯通信端末１００の向きによらず良好な受信感度を維持することができる。
【００４９】
また、本実施形態では、上記のように、端末本体部１は、平面的に見て長方形状を有し、表示部２が第１表示位置Ｐｄ１に位置してＧＰＳアンテナ２２が第１回動位置Ｐａ１にある場合に、表示部２の表示方向の上下方向が端末本体部１の長手方向となるように構成されるとともに、表示部２が第２表示位置Ｐｄ２に位置してＧＰＳアンテナ２２が第２回動位置Ｐａ２にある場合に、表示部２の表示方向の上下方向が端末本体部１の短手方向となるように構成することによって、長方形状の端末本体部１の長手方向を上下方向に向けて縦向き（図２参照）で携帯通信端末１００を使用する場合には、ＧＰＳアンテナ２２が第１回動位置Ｐａ１に配置され、長方形状の端末本体部１の長手方向を水平方向に向けて横向き（図４参照）で携帯通信端末１００を使用する場合には、ＧＰＳアンテナ２２が第２回動位置Ｐａ２に配置されるので、携帯通信端末１００を縦向き（長手方向が表示方向の上下方向）または横向き（短手方向が表示方向の上下方向）で使用する場合にも、常に、ＧＰＳアンテナ２２の指向性が天頂方向を向いた状態で使用することができる。
【００５０】
また、本実施形態では、上記のように、表示部２は、平面的に見て、長方形状の端末本体部１の上面の一部と重複するように設けられるとともに、ＧＰＳアンテナ２２が端末本体部１に対して第１回動位置Ｐａ１または第２回動位置Ｐａ２に位置するように表示部２が第１表示位置Ｐｄ１または第２表示位置Ｐｄ２に回動された場合にも、平面的に見て長方形状の端末本体部１の外形線内に収まるように構成することによって、ＧＰＳアンテナ２２が端末本体部１に対して第１回動位置Ｐａ１に位置する場合にも、端末本体部１に対して第２回動位置Ｐａ２に位置する場合にも、平面的に見て表示部２が長方形状の端末本体部１の外形線内から突出することがないので、携帯通信端末１００の姿勢を縦向き（図２参照）および横向き（図４参照）に変えても、携帯通信端末１００の持ち易さと操作性とを損なうことなく使用することができる。
【００５１】
また、本実施形態では、上記のように、ＧＰＳアンテナ２２を、表示部２の端末本体部１に対する回動中心（軸部３）から所定の距離Ｌだけ離れた表示部２のフレーム２１に設けることによって、表示部２にＧＰＳアンテナ２２を設けたとしても、表示部２のディスプレイ２０による表示の妨げになることがない。
【００５２】
また、本実施形態では、上記のように、表示部２の表示方向は表示部２に対して固定的であるとともに、表示部２が第１表示位置Ｐｄ１（図２参照）と第２表示位置Ｐｄ２（図４参照）との間で回動された場合に、表示部２の回動分だけ端末本体部１に対して表示部２の表示方向が回動するように構成され、表示部２の表示方向に対するＧＰＳアンテナ２２の指向性の方向Ｒを、表示部２が端末本体部１に対して第１表示位置Ｐｄ１と第２表示位置Ｐｄ２とに回動した場合にも変化しないように構成することによって、表示部２を第１表示位置Ｐｄ１と第２表示位置Ｐｄ２との間で回動させ、表示部２の表示方向の上方向Ｓが上方となるように携帯通信端末１００の向きを変えた場合にも、表示部２の表示方向に対するＧＰＳアンテナ２２の指向性の方向Ｒは変化しないので、表示部２に表示される画像の表示方向を表示部２の回動位置に合わせて変更（回動）する制御を行う必要がなく、携帯端末の制御を簡素化することができる。また、表示部２または端末本体部１の向きの変化に伴って表示方向を変える場合に携帯通信端末１００の向きを検出するためのセンサが必要となるのと異なり、専用のセンサを用いることなく表示方向ＳとＧＰＳアンテナ２２の指向性の方向Ｒとを対応させることができる。
【００５３】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５４】
たとえば、上記実施形態では、携帯端末の一例としての携帯通信端末１００に本発明を適用した例を示したが、本発明はこれに限らず、携帯電話機としての通信機能のない携帯ＧＰＳ端末、携帯情報端末（ＰＤＡ）および携帯ゲーム機等、携帯通信端末以外の携帯端末にも広く適用可能である。すなわち、端末本体部と、表示部と、衛星電波受信アンテナとを備えた携帯端末であれば本発明を適用することができる。
【００５５】
また、上記実施形態では、携帯通信端末１００の端末本体部１を、平面的に見て板状の長方形状を有し、キーボード１２が配置されるとともに表示部２が回動可能に取り付けられるように構成した例を示したが、本発明はこれに限らず、端末本体部は、たとえば表示部が回動可能に設けられる上部端末本体部と、キーボードが設けられる下部端末本体部とから構成された折畳式の構造でもよい。
【００５６】
また、上記実施形態では、衛星電波受信アンテナの一例としてＧＰＳアンテナ２２に本発明を適用した例を示したが、本発明はこれに限らず、ＧＰＳによる測位用電波を受信するアンテナ以外の衛星電波を受信するアンテナを用いてもよい。
【００５７】
また、上記実施形態では、ＧＰＳアンテナ２２を、表示部２の表示面２ａに対して表示部２の表示方向の上方向Ｓから、約４５度の角度θを有するように固定的に設置されている例を示したが、本発明はこれに限らず、ＧＰＳアンテナは、約４５度以外の角度θで設置されるように構成してもよい。ＧＰＳアンテナの所定の角度は、３０度以上６０度以下の範囲で設定されればよく、携帯端末のユーザが表示部を見ながら使用する場合に角度φだけ傾けた状態で、ＧＰＳアンテナの指向性が天頂方向を向くように構成すればよい。
【００５８】
また、上記実施形態では、平面的に見て長方形状を有する表示部２が、端末本体部１に回動可能に取り付けられた例を示したが、本発明はこれに限らず、表示部は平面的に見て長方形状に形成されている必要はなく、長方形状以外の円形、楕円形および正方形などの形状を有するように構成されていてもよい。
【００５９】
また、上記実施形態では、表示部２を、端末本体部１の表面と略平行な状態で軸部３を回動中心として左右（α方向およびβ方向）にそれぞれ約９０度の範囲で回動可能に構成した例を示したが、本発明はこれに限らず、表示部は左右にそれぞれ９０度回動可能に構成する必要はない。表示部は、９０度以外の範囲で回動可能に構成してもよく、たとえば３６０度回動可能に構成してもよい。ただし、表示部を少なくとも９０度回動可能に構成することにより、携帯端末を縦向きおよび横向きに切替可能となるように構成することができる。また、左方向（図１のα方向）および右方向（図１のβ方向）のいずれか一方のみに回動可能に構成してもよい。
【００６０】
また、上記実施形態では、表示部２を、平面的に見て中心の位置で軸部３と連結され、端末本体部１の表面と略平行な状態で軸部３を回動中心として回動可能に構成した例を示したが、本発明はこれに限らず、表示部は平面的に見て中心の位置で回動可能に構成する必要はない。表示部は、平面的に見て角部近傍など、平面的に見て表示部の中心以外の位置で回動可能に構成されてもよい。
【００６１】
また、上記実施形態では、ＧＰＳアンテナ２２を、フレーム２１において、表示部２の表示方向の上方向Ｓ側に設けた例を示したが、本発明はこれに限らず、ＧＰＳアンテナを表示部の表示方向の上方向側以外の位置に設けてもよい。たとえば、ＧＰＳアンテナを表示部の表示方向の横方向側の位置に設けてもよい。
【００６２】
また、上記実施形態では、ＧＰＳアンテナ２２を、表示部２のフレーム２１に内蔵した例を示したが、本発明はこれに限らず、ＧＰＳアンテナをフレームの表面に露出するように設けてもよく、フレーム表面上に配置してもよい。また、ＧＰＳアンテナを表示部のフレームに設けなくてもよい。ＧＰＳアンテナは、表示部と一体的に回動するよう表示部に設けられていればよい。
【００６３】
また、上記実施形態では、携帯通信端末１００を、表示部２を回動させることにより縦向きにも横向きにも使用可能に構成した例を示したが、本発明はこれに限らず、携帯端末は、縦向きと横向き以外の向きで使用するように構成してもよい。
【００６４】
また、上記実施形態では、表示部２を、縦向きの状態および横向きの状態の両方の状態において、平面的に見て、端末本体部１の外形線内に収まるように構成した例を示したが、本発明はこれに限らず、表示部が端末本体部の外形線外に突出するように構成してもよい。
【００６５】
また、上記実施形態では、ＧＰＳアンテナ２２を、アンテナ表面２２ａに対して上方（Ｒ方向）に単一指向性を有するとともに、円偏波特性を有するように構成した例を示したが、本発明はこれに限らず、ＧＰＳアンテナは、円偏波特性以外にも、直線偏波特性を有するように構成してもよい。
【図面の簡単な説明】
【００６６】
【図１】本発明の一実施形態による携帯通信端末を縦向きに使用する場合の全体構成を示す斜視図である。
【図２】本発明の一実施形態による携帯通信端末を縦向きに把持した場合の平面図である。
【図３】本発明の一実施形態による携帯通信端末を横向きに使用する場合の全体構成を示す斜視図である。
【図４】本発明の一実施形態による携帯通信端末を横向きに把持した場合の平面図である。
【図５】本発明の一実施形態による携帯通信端末の内部構成を示すブロック図である。
【図６】本発明の一実施形態による携帯通信端末の保持角度およびＧＰＳアンテナの角度を示す模式図である。
【図７】図１に示した携帯通信端末を縦向きに使用する場合のＧＰＳアンテナの配置を模式的に示す縦方向断面図である。
【図８】図３に示した携帯通信端末を横向きに使用する場合のＧＰＳアンテナの配置を模式的に示す縦方向断面図である。
【図９】本発明の一実施形態による携帯通信端末を縦向きに使用する場合のＧＰＳアンテナの指向性の方向を説明するための模式図である。
【図１０】本発明の一実施形態による携帯通信端末を横向きに使用する場合のＧＰＳアンテナの指向性の方向を説明するための模式図である。
【符号の説明】
【００６７】
１  端末本体部
２  表示部
２ａ  表示面
２０  ディスプレイ（表示画面部）
２１  フレーム（枠体）
２２  ＧＰＳアンテナ（衛星電波受信アンテナ）
１００  携帯通信端末（携帯端末）
【図１】
2010088067.tif 000003
【図２】
2010088067.tif 000004
【図３】
2010088067.tif 000005
【図４】
2010088067.tif 000006
【図５】
2010088067.tif 000007
【図６】
2010088067.tif 000008
【図７】
2010088067.tif 000009
【図８】
2010088067.tif 000010
【図９】
2010088067.tif 000011
【図１０】
2010088067.tif 000012